(57)【特許請求の範囲】
【請求項１】
板状体の貫通孔に固定され、二本の同軸ケーブル間に介在する同軸ケーブル用避雷器において、
二本の同軸ケーブルの中心導体同士の電気的接続、二本の同軸ケーブルの外部導体同士の電気的接続、中心導体と内蔵アレスタとの接続、および、外部導体と内蔵アレスタとの接続が行われる避雷器本体と、
避雷器本体の一端に連接して形成され、一方の同軸ケーブルのフランジコネクタが接続されるケーブル接続用フランジと、
避雷器本体の他端に連接して形成され、板状体に対する位置を外側の面で当接して決定する固定用フランジと、
固定用フランジの外側の面から突出するとともに先端を除く外周面に雄ねじ部が併せて形成されており、先端にある端部で他方の同軸ケーブルが接続固定されるケーブル接続用コネクタと、
アース線が接続されて内蔵アレスタとアース線を電気的に接続するアース線接続部と、
雌ねじ部を有し、ケーブル接続用コネクタの雄ねじ部に螺挿されてケーブル接続用コネクタが板状体の貫通孔を貫通した状態で取り付けられる固定部と、
を有する同軸ケーブル用避雷器を複数備え、
板状体の貫通孔に挿通されたケーブル接続用コネクタの外周面に形成される雄ねじ部に固定部が螺挿され、固定用フランジと固定部とにより板状体へ挟持固定される複数の同軸ケーブル用避雷器は、それらのアース線接続部に接続される複数のアース線が一枚の集中接地板に接続されることを特徴とする同軸ケーブル用避雷器。
【請求項２】
板状体の貫通孔に固定され、二本の同軸ケーブル間に介在する同軸ケーブル用避雷器において、
二本の同軸ケーブルの中心導体同士の電気的接続、二本の同軸ケーブルの外部導体同士の電気的接続、中心導体と内蔵アレスタとの接続、および、外部導体と内蔵アレスタとの接続が行われる避雷器本体と、
避雷器本体の一端に連接して形成され、一方の同軸ケーブルのフランジコネクタが接続されるケーブル接続用フランジと、
避雷器本体の他端に連接して形成され、板状体に対する位置を外側の面で当接して決定する固定用フランジと、
固定用フランジの外側の面から突出するように連接して形成され、先端にある端部で他方の同軸ケーブルが接続固定されるケーブル接続用コネクタと、
アース線が接続されて内蔵アレスタとアース線を電気的に接続するアース線接続部と、
複数孔を有する環状体であり、ケーブル接続用コネクタが板状体の貫通孔を貫通した状態で取り付けられる固定部と、
を有する同軸ケーブル用避雷器を複数備え、
板状体の貫通孔に挿通されたケーブル接続用コネクタに嵌挿された固定部と固定用フランジとが、固定部、板状体および固定用フランジの複数孔を通過する複数ねじにより締結され、固定用フランジと固定部とにより板状体へ挟持固定される複数の同軸ケーブル用避雷器は、それらのアース線接続部に接続される複数のアース線が一枚の集中接地板に接続されることを特徴とする同軸ケーブル用避雷器。
【請求項３】
請求項１または請求項２に記載の同軸ケーブル用避雷器において、
前記板状体は、ケーブル接続用コネクタが挿通される貫通孔を有し、かつ造営物の外壁に貫通された孔を塞ぐ貫通板であることを特徴とする同軸ケーブル用避雷器。
【請求項４】
請求項１または請求項２に記載の同軸ケーブル用避雷器において、
前記板状体は、ケーブル接続用コネクタが挿通される貫通孔を有する造営物の外壁であることを特徴とする同軸ケーブル用避雷器。
【請求項５】
造営物の外壁に貫通された孔を塞ぐための導電体製の貫通板の貫通孔に固定されて二本の同軸ケーブル間に介在する同軸ケーブル用避雷器において、
二本の同軸ケーブルの中心導体同士の電気的接続、二本の同軸ケーブルの外部導体同士の電気的接続、中心導体と内蔵アレスタとの接続、および、外部導体と内蔵アレスタとの接続が行われる避雷器本体と、
避雷器本体の一端に連接して形成され、一方の同軸ケーブルのフランジコネクタが接続されるケーブル接続用フランジと、
避雷器本体の他端に連接して形成され、貫通板に対する位置を外側の面で当接して決定する固定用フランジと、
固定用フランジの外側の面から突出するとともに先端を除く外周面に雄ねじ部が併せて形成されており、先端にある端部で他方の同軸ケーブルが接続固定されるケーブル接続用コネクタと、
アース線が接続されて内蔵アレスタとアース線を電気的に接続するアース線接続部と、
雌ねじ部を有し、ケーブル接続用コネクタの雄ねじ部に螺挿されてケーブル接続用コネクタが貫通板の貫通孔を貫通した状態で取り付けられる固定部と、
を有する同軸ケーブル用避雷器を複数備え、
貫通板の貫通孔に挿通されたケーブル接続用コネクタの外周面に形成される雄ねじ部に固定部が螺挿され、固定用フランジと固定部とにより貫通板へ挟持固定される複数の同軸ケーブル用避雷器は貫通板により等電化されるとともに、それらのアース線接続部に接続される複数のアース線が接地されることを特徴とする同軸ケーブル用避雷器。
【請求項６】
造営物の外壁に貫通された孔を塞ぐための導電体製の貫通板の貫通孔に固定されて二本の同軸ケーブル間に介在する同軸ケーブル用避雷器において、
二本の同軸ケーブルの中心導体同士の電気的接続、二本の同軸ケーブルの外部導体同士の電気的接続、中心導体と内蔵アレスタとの接続、および、外部導体と内蔵アレスタとの接続が行われる避雷器本体と、
避雷器本体の一端に連接して形成され、一方の同軸ケーブルのフランジコネクタが接続されるケーブル接続用フランジと、
避雷器本体の他端に連接して形成され、貫通板に対する位置を外側の面で当接して決定する固定用フランジと、
固定用フランジの外側の面から突出するように連接して形成され、先端にある端部で他方の同軸ケーブルが接続固定されるケーブル接続用コネクタと、
アース線が接続されて内蔵アレスタとアース線を電気的に接続するアース線接続部と、
複数孔を有する環状体であり、ケーブル接続用コネクタが貫通板の貫通孔を貫通した状態で取り付けられる固定部と、
を有する同軸ケーブル用避雷器を複数備え、
貫通板の貫通孔に挿通されたケーブル接続用コネクタに嵌挿された固定部と固定用フランジとが、固定部、貫通板および固定用フランジの複数孔を通過する複数ねじにより締結され、固定用フランジと固定部とにより貫通板へ挟持固定される複数の同軸ケーブル用避雷器は貫通板により等電化されるとともに、それらのアース線接続部に接続される複数のアース線が接地されることを特徴とする同軸ケーブル用避雷器。
【請求項７】
請求項１〜請求項６の何れか一項に記載の同軸ケーブル用避雷器において、
前記固定用フランジは、その外側の面にＯリングを備えることを特徴とする同軸ケーブル用避雷器。
【発明の詳細な説明】
【０００１】
【発明の属する技術分野】
本発明は、避雷機能を有する同軸ケーブル用避雷器に関する。
【０００２】
【従来の技術】
同軸ケーブルは、信号伝送用として従来から多用されている。近年では移動体通信（いわゆる携帯電話）が普及の途にあり、移動体通信用の無線局・中継局が増加している。このような無線局・中継局において、同軸ケーブルは、局舎内の通信機器、および、局舎外のアンテナ間での配線に使用される。
【０００３】
このように同軸ケーブルを屋内から屋外へ配線する場合、中継機能と避雷機能とを持たせた同軸ケーブル用避雷器が使用されている。この同軸ケーブル用避雷器について図を参照しつつ説明する。図９，図１０は従来技術の同軸ケーブル用避雷器の説明図である。
同軸ケーブル用避雷器１００は、図９で示すように、避雷器本体１００ａ、屋外側フランジ１００ｂ、屋内側フランジ１００ｃ、アース端子兼アレスタ蓋１００ｄ、アース線接続部１００ｅを備えている。
【０００４】
このような同軸ケーブル用避雷器１００は、図１０で示すように、屋外側フランジコネクタ１１０、屋外ケーブル１２０、屋内側フランジコネクタ１３０、連結用同軸ケーブル１４０、同軸ケーブル用コネクタ１５０、屋内ケーブル１６０を接続することにより信号伝送路を形成する。
【０００５】
屋外にあるアンテナ（図示せず）と接続されている屋外ケーブル１２０の端部に取り付けられた屋外側フランジコネクタ１１０、および、同軸ケーブル用避雷器１００の屋外側フランジ１００ｂは、それぞれのフランジ部に設けられた複数の貫通孔にねじを挿通した後に締結固定されて接続される。
【０００６】
一方、連結用同軸ケーブル１４０の端部に取り付けられた屋内側フランジコネクタ１３０、および、同軸ケーブル用避雷器１００の屋内側フランジ１００ｃは、それぞれのフランジ部に設けられた複数の貫通孔にねじを挿通した後に締結固定されて接続される。さらに、無線機（図示せず）と接続される屋内ケーブル１６０、および、連結用同軸ケーブル１４０が同軸ケーブル用コネクタ１５０により接続固定される。
【０００７】
さらに、同軸ケーブル用避雷器１００は、アース端子１００ｅ、アース線１７０および集中接地板１８０、図示しないアース線により接地経路が形成される。
避雷器本体１００ａの内部には、図示しないが、内蔵アレスタが配置されており、同軸ケーブルである屋外ケーブル１２０および屋内ケーブル１６０の中心導体（芯線）、および、外部導体（網状導体）とにそれぞれ内蔵アレスタが接続され、これら内蔵アレスタがアース線１７０と接続される。このアース線１７０は、集中接地板１８０に接続される。外壁１９０に固定されている集中接地板１８０は、図示しないアース線を通じて接地されており、落雷・誘導雷等により流れる電流を大地へ流す。
【０００８】
続いて、このような同軸ケーブル用避雷器１００の取り付けについて説明する。図１０で示すように、同軸ケーブル用避雷器１００の連結用同軸ケーブル１４０が貫通板２００のパイプ状のケーブル導入孔２００ａに挿通された状態で、ケーブル導入孔２００ａが防水用の耐火粘土２１０により閉塞される。
このようにして同軸ケーブル用避雷器１００が取り付けられた貫通板２００は、建物の外壁１９０に設けられた貫通孔１９０ａに固定される。
【０００９】
アース線１７０が貫通板２００の下側に配置された集中接地板１８０と接続される。最終的に、屋外ケーブル１２０、および、屋内ケーブル１６０が同軸ケーブル用避雷器１００と接続される。
このような同軸ケーブル用避雷器１００は、通常は複数（例えば８個）設けられるため、集中接地板１８０に複数のアース線１７０が集中して接続されることとなる。この集中接地板１８０により、これら複数の同軸ケーブル用避雷器１００は等電位に近づく。
【００１０】
【発明が解決しようとする課題】
さて、このような同軸ケーブル用避雷器１００は以下のような問題点が知見されている。
（１）雨水や水滴の屋内への侵入を避けるため、パイプ状のケーブル導入孔２００ａを貫通板２００に溶接し、また、取り付け時には貫通板２００のケーブル導入孔２００ａの防水処理を耐火粘土２１０を用いて行う必要があり、手間を要するものであるという問題点。
（２）複数の同軸ケーブル用避雷器１００間の電位差を極力生じさせないように、同軸ケーブル用避雷器１００をアース線１７０にて集中接地板１８０に接続する必要があるが、従来では、連結用同軸ケーブル１４０を使用するため、同軸ケーブル用避雷器１００が外壁１９０から離れ、アース線１７０が長くなり、その分電位差が生じるおそれがあるという問題点。
【００１１】
本発明は、上記問題点を解決するためになされたものであり、その目的は、設置が容易である同軸ケーブル用避雷器を提供することにある。
【００１２】
【課題を解決するための手段】
上記課題を解決するためになされた、請求項１記載の発明に係る同軸ケーブル用避雷器は、
板状体の貫通孔に固定され、二本の同軸ケーブル間に介在する同軸ケーブル用避雷器において、
二本の同軸ケーブルの中心導体同士の電気的接続、二本の同軸ケーブルの外部導体同士の電気的接続、中心導体と内蔵アレスタとの接続、および、外部導体と内蔵アレスタとの接続が行われる避雷器本体と、
避雷器本体の一端に連接して形成され、一方の同軸ケーブルのフランジコネクタが接続されるケーブル接続用フランジと、
避雷器本体の他端に連接して形成され、板状体に対する位置を外側の面で当接して決定する固定用フランジと、
固定用フランジの外側の面から突出するとともに先端を除く外周面に雄ねじ部が併せて形成されており、先端にある端部で他方の同軸ケーブルが接続固定されるケーブル接続用コネクタと、
アース線が接続されて内蔵アレスタとアース線を電気的に接続するアース線接続部と、
雌ねじ部を有し、ケーブル接続用コネクタの雄ねじ部に螺挿されてケーブル接続用コネクタが板状体の貫通孔を貫通した状態で取り付けられる固定部と、
を有する同軸ケーブル用避雷器を複数備え、
板状体の貫通孔に挿通されたケーブル接続用コネクタの外周面に形成される雄ねじ部に固定部が螺挿され、固定用フランジと固定部とにより板状体へ挟持固定される複数の同軸ケーブル用避雷器は、それらのアース線接続部に接続される複数のアース線が一枚の集中接地板に接続されることを特徴とする。
【００１３】
また、請求項２記載の発明に係る同軸ケーブル用避雷器は、
板状体の貫通孔に固定され、二本の同軸ケーブル間に介在する同軸ケーブル用避雷器において、
二本の同軸ケーブルの中心導体同士の電気的接続、二本の同軸ケーブルの外部導体同士の電気的接続、中心導体と内蔵アレスタとの接続、および、外部導体と内蔵アレスタとの接続が行われる避雷器本体と、
避雷器本体の一端に連接して形成され、一方の同軸ケーブルのフランジコネクタが接続されるケーブル接続用フランジと、
避雷器本体の他端に連接して形成され、板状体に対する位置を外側の面で当接して決定する固定用フランジと、
固定用フランジの外側の面から突出するように連接して形成され、先端にある端部で他方の同軸ケーブルが接続固定されるケーブル接続用コネクタと、
アース線が接続されて内蔵アレスタとアース線を電気的に接続するアース線接続部と、
複数孔を有する環状体であり、ケーブル接続用コネクタが板状体の貫通孔を貫通した状態で取り付けられる固定部と、
を有する同軸ケーブル用避雷器を複数備え、
板状体の貫通孔に挿通されたケーブル接続用コネクタに嵌挿された固定部と固定用フランジとが、固定部、板状体および固定用フランジの複数孔を通過する複数ねじにより締結され、固定用フランジと固定部とにより板状体へ挟持固定される複数の同軸ケーブル用避雷器は、それらのアース線接続部に接続される複数のアース線が一枚の集中接地板に接続されることを特徴とする。
【００１４】
また、請求項３記載の発明に係る同軸ケーブル用避雷器は、
請求項１または請求項２に記載の同軸ケーブル用避雷器において、
前記板状体は、ケーブル接続用コネクタが挿通される貫通孔を有し、かつ造営物の外壁に貫通された孔を塞ぐ貫通板であることを特徴とする。
【００１５】
また、請求項４記載の発明に係る同軸ケーブル用避雷器は、
請求項１または請求項２に記載の同軸ケーブル用避雷器において、
前記板状体は、ケーブル接続用コネクタが挿通される貫通孔を有する造営物の外壁であることを特徴とする。
【００１６】
また、請求項５記載の発明に係る同軸ケーブル用避雷器は、
造営物の外壁に貫通された孔を塞ぐための導電体製の貫通板の貫通孔に固定されて二本の同軸ケーブル間に介在する同軸ケーブル用避雷器において、
二本の同軸ケーブルの中心導体同士の電気的接続、二本の同軸ケーブルの外部導体同士の電気的接続、中心導体と内蔵アレスタとの接続、および、外部導体と内蔵アレスタとの接続が行われる避雷器本体と、
避雷器本体の一端に連接して形成され、一方の同軸ケーブルのフランジコネクタが接続されるケーブル接続用フランジと、
避雷器本体の他端に連接して形成され、貫通板に対する位置を外側の面で当接して決定する固定用フランジと、
固定用フランジの外側の面から突出するとともに先端を除く外周面に雄ねじ部が併せて形成されており、先端にある端部で他方の同軸ケーブルが接続固定されるケーブル接続用コネクタと、
アース線が接続されて内蔵アレスタとアース線を電気的に接続するアース線接続部と、
雌ねじ部を有し、ケーブル接続用コネクタの雄ねじ部に螺挿されてケーブル接続用コネクタが貫通板の貫通孔を貫通した状態で取り付けられる固定部と、
を有する同軸ケーブル用避雷器を複数備え、
貫通板の貫通孔に挿通されたケーブル接続用コネクタの外周面に形成される雄ねじ部に固定部が螺挿され、固定用フランジと固定部とにより貫通板へ挟持固定される複数の同軸ケーブル用避雷器は貫通板により等電化されるとともに、それらのアース線接続部に接続される複数のアース線が接地されることを特徴とする。
【００１７】
また、請求項６記載の発明に係る同軸ケーブル用避雷器は、
造営物の外壁に貫通された孔を塞ぐための導電体製の貫通板の貫通孔に固定されて二本の同軸ケーブル間に介在する同軸ケーブル用避雷器において、
二本の同軸ケーブルの中心導体同士の電気的接続、二本の同軸ケーブルの外部導体同士の電気的接続、中心導体と内蔵アレスタとの接続、および、外部導体と内蔵アレスタとの接続が行われる避雷器本体と、
避雷器本体の一端に連接して形成され、一方の同軸ケーブルのフランジコネクタが接続されるケーブル接続用フランジと、
避雷器本体の他端に連接して形成され、貫通板に対する位置を外側の面で当接して決定する固定用フランジと、
固定用フランジの外側の面から突出するように連接して形成され、先端にある端部で他方の同軸ケーブルが接続固定されるケーブル接続用コネクタと、
アース線が接続されて内蔵アレスタとアース線を電気的に接続するアース線接続部と、
複数孔を有する環状体であり、ケーブル接続用コネクタが貫通板の貫通孔を貫通した状態で取り付けられる固定部と、
を有する同軸ケーブル用避雷器を複数備え、
貫通板の貫通孔に挿通されたケーブル接続用コネクタに嵌挿された固定部と固定用フランジとが、固定部、貫通板および固定用フランジの複数孔を通過する複数ねじにより締結され、固定用フランジと固定部とにより貫通板へ挟持固定される複数の同軸ケーブル用避雷器は貫通板により等電化されるとともに、それらのアース線接続部に接続される複数のアース線が接地されることを特徴とする。
【００１８】
また、請求項７記載の発明に係る同軸ケーブル用避雷器は、
請求項１〜請求項６の何れか一項に記載の同軸ケーブル用避雷器において、
前記固定用フランジは、その外側の面にＯリングを備えることを特徴とする。
【００１９】
【発明の実施の形態】
続いて、本発明の第１実施形態である同軸ケーブル用避雷器について図を参照しつつ説明する。図１は、本実施形態の同軸ケーブル用避雷器の構成図、図２，図３は同軸ケーブル用避雷器の設置状態を説明する説明図である。
【００２０】
まず、同軸ケーブル用避雷器１０の構成について説明する。
同軸ケーブル用避雷器１０は、図１で示すように、避雷器本体１１、第１接続部の一具体例であるケーブル接続用フランジ１２、第２接続部の一具体例であるケーブル接続用コネクタ１３、位置決め部の一具体例である固定用フランジ１４、Ｏリング１５、雄ねじ部１６、固定部の一具体例であるナット１７（図２参照）、アース端子兼アレスタ蓋１８を備えている。
【００２１】
避雷器本体１１は、図示しない内蔵アレスタが設けられている。内蔵アレスタは、アース端子兼アレスタ蓋１８を開けて取り替えることができる。
避雷器本体１１では、二本の同軸ケーブルが接続されたとき、二本の同軸ケーブルの中心導体同士の電気的接続、二本の同軸ケーブルの外部導体同士の電気的接続、中心導体と内蔵アレスタとの接続、および、外部導体と内蔵アレスタとの接続が行われる。
【００２２】
ケーブル接続用フランジ１２は、図２，図３で示すように屋外側の同軸ケーブル１９の端部のフランジコネクタ２０とねじ止めにより固定接続される。
ケーブル接続用コネクタ部１３は、図３で示すように屋内側の同軸ケーブル２１の端部のコネクタ２２と接続される。
【００２３】
固定用フランジ１４は、図２，図３で示すように仕切用の貫通板２３と接して位置の決定に用いられる。
Ｏリング１５は、図１で示すように、固定用フランジ１４に配置されており、図２，図３で示すように貫通板２３に取り付けられた場合、貫通板２３に設けられた貫通孔（図示せず）と接触してこの貫通孔からの漏水を防止する。
【００２４】
雄ねじ部１６は、図１で示すようにケーブル接続用コネクタ１３に形成される。この雄ねじ部１６には、図２，図３で示すようにナット１７が螺挿されて、ナット１７と固定用フランジ１４とで貫通板２３が挟持されることにより、この貫通板２３に同軸ケーブル用避雷器１０が固定される。
【００２５】
アース端子兼アレスタ蓋１８には、図１〜図３で示すように、ボルトであるアース線接続部１８ａが螺挿されており、図２，図３で示すように、アース線２４のラグ端子の孔にこのアース線接続部１８ａのボルトが挿通され、アース線２４と結線される。
アース線２４の他端は図３で示すような集中接地板２５（アースウィンド）に固定される。このようにアース線接続部１８ａと集中接地板２５とが隣接して配置されているため、アース線２４を短くすることが可能である。
【００２６】
続けて、このような同軸ケーブル用避雷器１０の取り付け方法について説明する。図２で示すようにケーブル接続用コネクタ１３を、貫通板２３の貫通孔に挿通して貫通板２３と固定用フランジ１４とが当接するように配置し、ナット１７を雄ねじ部１６に螺挿する。そして固定用フランジ１４とナット１７とにより貫通板２３を強固に挟持する。
この場合、Ｏリング１５（図１参照）が固定用フランジ１４と貫通板２３との間で挟持され、貫通孔が閉塞される。
【００２７】
続いて、同軸ケーブル１９，２１が屋内外で接続される。このような同軸ケーブル用避雷器１０が取り付けられた貫通板２３は、図３で示すように、建物の外壁２６に設けられた貫通孔２６ａに固定される。そして、アース線２４を貫通板２３の下側に設けられており、外壁２６に固定された集中接地板２５と接続する。これにより接地経路が形成される。
このような同軸ケーブル用避雷器１０は通常は複数（例えば８個）設けられるため、集中接地板２５に複数のアース線２４が集中して接続されることとなる。集中接地板２５により、これら複数の同軸ケーブル用避雷器１０は等電位に近づく。
【００２８】
なお、接地経路は各種経路を採用することが可能である。接地経路について図を参照しつつ説明する。図４，図５，図６は同軸ケーブル用避雷器の接地経路を説明する説明図である。
図４で示す接地形式では、集中接地板２５に複数（図４では３本）のアース線２４を接続し、集中接地板２５、図示しないアース線を介して接地経路を形成するものである。集中接地板２５により、これら３個の同軸ケーブル用避雷器１０は等電位に近づく。
【００２９】
なお、本実施形態では貫通板を用いないようにしても良い。具体的には、図５で示すように、ケーブル接続用コネクタ１３を挿通できる孔径の貫通孔を外壁２６に直接設け、この貫通孔にケーブル接続用コネクタ１３を挿通させ、雄ねじ部１６に外からナット１７を螺挿して締結固定する。そして、集中接地板２５に３本のアース線２４を接続し、集中接地板２５、図示しないアース線を介して接地経路を形成するものである。このようにしても本発明の実施は可能である。
【００３０】
さらにまた、同軸ケーブル用避雷器１０の本体が金属である点に着目し、図６で示すように銅板から形成した貫通板２３を用いることで同軸ケーブル用避雷器１０本体を等電位化することができる。
この場合、集中接地板は不要となる。アース線２４を接地する場合、図６で示すようにそれぞれ適宜接地しても良く、また、図示しないが一本で共通になるようにしても良い。他の集中接地板に接続してもよい。
【００３１】
以上本実施形態の同軸ケーブル用避雷器１０について説明した。
本実施形態の同軸ケーブル用避雷器１０によれば、
（１）Ｏリング１５（図１参照）により雨水や水滴の侵入が防止されるため、従来必要であったパイプ状のケーブル導入孔の溶接作業、および、防水処理用の耐火粘土封入作業が不要となり、取り付けが容易になる。
（２）従来よりも集中電極板の取り付け位置が近くなって同軸ケーブル用避雷器１０間の電位差が極力生じないという利点がある。
【００３２】
続いて本発明の第２実施形態について図を参照しつつ説明する。図７は、本実施形態の同軸ケーブル用避雷器の構成図である。
図７で示すように、ケーブル用避雷器５０は、避雷器本体５１、第１接続部の一具体例であるケーブル接続用フランジ５２、第２接続部の一具体例であるケーブル接続用コネクタ５３、位置決め部の一具体例である固定用フランジ５４、Ｏリング５５，５６（図８参照）、固定部の一具体例である環状体５７、アース端子兼アレスタ蓋５８を備えている。
【００３３】
続いて、第２実施形態との相違点である貫通板５９の締結について説明する。なお、同軸ケーブル６０およびアース線６１との接続は第１実施形態の説明と同じであるため、その説明を省略する。
貫通板５９へ同軸ケーブル用避雷器５０を取り付ける場合、まず、貫通板５９の貫通孔（図示せず）にケーブル接続用コネクタ５３を挿通する。その際、図８で示すように、固定用フランジ５４と貫通板５９とを、Ｏリング５５を介在させた状態で密着させる。
【００３４】
次に、ケーブル接続用コネクタ５３に図７矢印Ａ方向に環状体５７を挿通する。その際、環状体５７と貫通板５９とを、Ｏリング５６を介在させた状態で密着させる。
最終的にねじで固定用フランジ５４と環状体５７とを連結しつつ貫通板５９に固定する。この場合Ｏリング５５，５６により貫通孔が防水される。
【００３５】
このような同軸ケーブル用避雷器５０に対しても、第１実施形態で図４，図６を用いて説明したように、集中電極板２５にアース線２４を接地する接続方式を採用しても良い。
また、第１実施形態で図５を用いて説明したように、貫通板２３に直接アース線２４を接続しても良い。
【００３６】
【発明の効果】
以上、本発明によれば、設置が容易である同軸ケーブル用避雷器を提供することができる。
【図面の簡単な説明】
【図１】本発明の第１実施形態の同軸ケーブル用避雷器の構成図である。
【図２】同軸ケーブル用避雷器の設置状態を説明する説明図である。
【図３】同軸ケーブル用避雷器の設置状態を説明する説明図である。
【図４】同軸ケーブル用避雷器の接地経路を説明する説明図である。
【図５】同軸ケーブル用避雷器の接地経路を説明する説明図である。
【図６】同軸ケーブル用避雷器の接地経路を説明する説明図である。
【図７】本発明の第２実施形態の同軸ケーブル用避雷器の構成図である。
【図８】同軸ケーブル用避雷器の設置状態を説明する説明図である。
【図９】従来技術の同軸ケーブル用避雷器の説明図である。
【図１０】従来技術の同軸ケーブル用避雷器の説明図である。
【符号の説明】
１０          同軸ケーブル用避雷器
１１          避雷器本体
１２          ケーブル接続用フランジ
１３          ケーブル接続用コネクタ
１４          固定用フランジ
１５          Ｏリング
１６          雄ねじ部
１７          ナット
１８          アース端子兼アレスタ蓋
１８ａ        アース線接続部
１９          同軸ケーブル
２０          フランジコネクタ
２１          同軸ケーブル
２２          コネクタ
２３          貫通板
２４          アース線
２５          集中接地板
２６          外壁
２６ａ        貫通孔
５０          同軸ケーブル用避雷器
５１          避雷器本体
５２          ケーブル接続用フランジ
５３          ケーブル接続用コネクタ
５４          固定用フランジ
５５，５６    Ｏリング
５７          環状体
５８          アース端子兼アレスタ蓋
５８ａ        アース線接続部
５９          貫通板
６０          同軸ケーブル
６１          アース線
【図１】
0004030335.tif 000002
【図２】
0004030335.tif 000003
【図３】
0004030335.tif 000004
【図４】
0004030335.tif 000005
【図５】
0004030335.tif 000006
【図６】
0004030335.tif 000007
【図７】
0004030335.tif 000008
【図８】
0004030335.tif 000009
【図９】
0004030335.tif 000010
【図１０】
0004030335.tif 000011